(57)【特許請求の範囲】
【請求項１】
ポストと、前記ポストの先端に設けられて径方向に弾性変形可能な矢尻型をしたスナップ片と、前記スナップ片に対向配置される脚片と、前記スナップ片の拡径された一端部にそれぞれ連結片によって連結されて手操作によって前記スナップ片を縮径可能な解除片とを備え、基板に設けられた透孔内に挿入されたときに前記スナップ片が径方向に弾性変形して前記透孔に嵌合され、かつ前記脚片との間に前記基板を挟持するスナップ構造において、前記ポストには前記透孔内において前記ポストが所定角度以上傾斜されることを阻止するストッパ部を備え、前記ストッパ部は、前記ポストが所定角度傾斜されたときに前記透孔の内縁部に衝接される衝接部と、前記ポストが所定角度以上傾斜されようとするときに前記基板の表面に当接される当接部とを備え、前記ポストは前記透孔の径寸法よりも小さい幅寸法の板状に形成され、前記ストッパ部は当該ポストの両側辺に沿った前記連結片及び前記脚片と干渉せず、前記スナップ片が縮径されたときに干渉しない領域においてのみ互いに反対の方向に向けて突出形成され、前記ストッパ部の下半分で構成される衝接部は前記スナップ片が前記透孔に嵌合した状態のときに前記透孔内に進入位置される前記ポストの長さ方向の領域に形成され、前記ストッパ部の上半分で構成される当接部は前記スナップ片が前記透孔に嵌合した状態のときに前記基板の表面に接触ないし近接位置される前記ポストの長さ方向の領域に前記衝接部よりも厚肉に形成されていることを特徴とするスナップ構造。
【発明の詳細な説明】
【０００１】
【発明の属する技術分野】
本発明は電子機器等の基板に電子部品やケーブル等を実装するために用いるケーブルクランプ等の実装用部品に関し、特に実装用部品を基板に取着するためのスナップ構造に関するものである。
【０００２】
【従来の技術】
電子機器を組み立てる場合には、パネル、シャーシ、基板等の組立基板（以下、これらを基板と称する）に電子部品を取り付けたり、ケーブル等の配線部品を延設配置する必要があり、そのために実装用部品が用いられる。例えば、基板の表面に沿ってケーブルを延設配置する場合には、ケーブルを保持した状態でシャーシへの取着を行うケーブルクランプが用いられる。一般に、ケーブルクランプをシャーシに取着する構造として、スナップ構造が採用されている。図１７はその一例を示す図であり、ケーブルクランプ１Ｄは複数のケーブルＣを束状に保持するクランプ部６０と、当該クランプ部６０と一体に設けられて基板２に開口された透孔３内に嵌合するスナップ部３０Ａとで構成され、樹脂成形等によって一体に形成される。クランプ部６０は、上向きコ字状のベース６１に対してカバー片６２が一端部においてヒンジ結合され、その他端でロック部６３によってロックされるようになっている。そして、カバー片６２を開閉してケーブルＣの挿脱が可能になる。また、前記スナップ部３０Ａは、下方に突出したポスト３１の両側に矢尻型に張り出した一対のスナップ片５２を有しており、基板２の表面側からスナップ部３０Ａを透孔内に挿入すると、一対のスナップ片５２は弾性により縮径されて透孔３を通され、通過後は弾性復帰して拡径することでスナップ片５２の末端部に設けた段部５２１が透孔３の内縁部に係合する。また、スナップ片５２に対向して設けられているハ字状をした一対の脚片３４が基板２の表面側に当接することで、前記段部５２１と透孔３との係合状態が保持される。これにより、基板２に取り付けられたケーブルクランプ１Ｄが透孔３から離脱することが防止される。
【０００３】
ところで、近年における家電製品、ＯＡ機器、自動車、電子機器全般において環境問題の解決策として環境配慮型製品の販売が義務付けられている中で、例えば、電子機器に内装したプリント基板や配線を電子機器のシャーシやパネル等から解体可能にすることが要求されている。特に、解体作業を容易に行うために、工具等を用いることなく容易に解体することが要求されている。そのため、この種の実装用部品においては、電子機器の組立時に基板の透孔に対する取着作業を容易なものにする一方で、電子機器の解体時には素手で容易に透孔から外し易くすることが要求されている。このようなスナップ構造として、図１８（ａ）に示すスナップ部３０Ｂは後述するようなケーブルタイに適用したものであるが、直線板状のポスト５１の先端両側に矢尻状のスナップ片５２を形成するとともに、スナップ片５２の先端部に連結した連結片５３とにより段部５２１を形成し、さらに連結片５３にはそれぞれ両外側に向けられて指で摘むことが可能な解除片５５を一体に設けている。また、ここでは脚片５４は解除片５５から両側に向けて突出する構成としている。このスナップ構造では、透孔３にスナップ部３０Ｂを嵌合した状態から解体する際には、同図に鎖線で示すように、解除片５５を指で両側から摘んで内側に変形させることにより、これに連動してスナップ片５２が縮径されるため、この縮径を容易なものとし、スナップ片５２を透孔３から離脱させ易くして環境問題の解決策として有効である。
【０００４】
【発明が解決しようとする課題】
しかしながら、このスナップ構造では、解除片５５及び脚片５４の弾性力を強く設計すると、スナップ部３０Ｂを透孔３から離脱させる際に解除片５５に加える指の力を小さくすることが可能になるが、解除片５５や脚片５４の弾性力によって内側に向けられる力が大きくなり、スナップ片５２が縮径方向に付勢される状態になって透孔３に対する嵌合力が弱くなってしまう。一方、解除片５５及び脚片５４の弾性力を弱く設計すると、脚片５４による支持力が小さくなって外力等によってポスト５１が傾斜され易くなり、図１８（ｂ）のように、ポスト５１の傾斜の程度が著しくなると一方のスナップ片５２がポスト側に変形され、他方のスナップ片５２が透孔３の開口縁部内に移動され、当該他方のスナップ片５２の段部５２１が透孔３から外れてスナップ部３０Ｂが透孔３から脱落されてしまうことになる。結局、スナップ片の縮径によってスナップ片の嵌合力が低下され、安定した信頼性の高いスナップ構造を得ることが困難になる。なお、以上の問題はケーブルクランプに限らず、同様なスナップ構造を備える実装用部品の全てについて言えるものである。
【０００５】
本発明の目的は、基板に対する実装用部品の取り付け及び取り外しを容易に行うことを可能にする一方で、当該実装用部品が意に反して基板から離脱することを防止したスナップ構造を提供するものである。
【０００６】
【課題を解決するための手段】
本発明は、ポストと、ポストの先端に設けられて径方向に弾性変形可能な矢尻型をしたスナップ片と、スナップ片に対向配置される脚片と、スナップ片の拡径された一端部にそれぞれ連結片によって連結され、手操作によってスナップ片を縮径可能な解除片とを備え、基板に設けられた透孔内に挿入されたときにスナップ片が径方向に弾性変形して透孔に嵌合され、かつ脚片との間に前記基板を挟持するスナップ構造において、ポストには透孔内においてポストが所定角度以上傾斜されることを阻止するストッパ部を備えることを特徴とする。
【０００７】
また、本発明のスナップ構造において、ストッパ部は、ポストが所定角度傾斜されたときに透孔の内縁部に衝接される衝接部と、ポストが所定角度以上傾斜されようとするときに基板の表面に当接される当接部とを備えており、ポストは透孔の径寸法よりも小さい幅寸法の板状に形成され、ストッパ部はポストの両側辺に沿った連結片及び脚片と干渉せず、スナップ片が縮径されたときに干渉しない領域においてのみ互いに反対の方向に向けて突出形成され、ストッパ片の下半分で構成される衝接部は、スナップ片が透孔に嵌合した状態のときに透孔内に進入位置される前記ポストの長さ方向の領域に形成され、ストッパ片の上半分で構成される当接部はスナップ片が透孔に嵌合した状態のときに基板の表面に接触ないし近接位置されるポストの長さ方向の領域に衝接部よりも厚肉に形成される。
【０００８】
本発明によれば、基板の透孔内に嵌合されている状態においてポストが傾斜され始めると、僅かな角度だけ傾斜された時点でポストの両側のストッパ部の衝接部の一方の外側面が透孔の内縁部に衝接する状態となり、同時にその直上の当接部が透孔の開口縁部において基板の上面に当接する状態となり、これらストッパ部と透孔及びシャーシとの当接によってポストがそれ以上傾斜することが阻止され、スナップ片の縮径が防止されてスナップ部の離脱が防止される。
【０００９】
【発明の実施の形態】
次に、本発明の実施形態を図面を参照して説明する。図１は本発明のスナップ構造をケーブルタイに適用した第１の実施形態の斜視図、図２はその正面図、図３（ａ）〜（ｅ）は要部の拡大平面図、左側面図、底面図、ＡＡ線断面図、ＢＢ線断面図である。これらの図において、本実施形態のケーブルタイ１は、図外のケーブルを巻き締め状態にクランプするためのベルト部１０と、このベルト部１０をケーブルを巻き締めた状態にロックするロック部２０と、前記ロック部２０の下部ないし側部に形成されたスナップ部３０とで構成されており、各部は樹脂成形により一体に形成されている。そして、シャーシ２に設けられた透孔３に嵌合状態に取着されるようになっている。
【００１０】
前記ベルト部１０及びロック部２０の構成は既に広く知られている構造であり、簡単に説明すると、前記ベルト部１０は、基端部１１が前記ロック部２０に連結された所要幅で所要長さのベルトとして形成されており、先端部１２は若干幅寸法が徐々に縮小されて後述するロック部への挿通が容易にされるとともに、その長さ方向の中間部１４の一側面には鋸歯部１３が長さ方向の所要領域にわたって形成されている。前記ロック部２０は矩形をした筒状部２１を有しており、この筒状部２１の内部には前記ベルト部１０の先端部１２ないし中間部１４を挿通可能な挿通溝２２が形成され、この挿通溝２２内には前記ベルト部１０の鋸歯部１３に係合可能な舌片状のロック片２３が内装支持されている。そのため、前記ベルト部１０を図外のケーブルの周囲に沿って曲げ変形させながらその先端部１２からロック部２０の挿通溝２２内に挿通し、ロック片２３と鋸歯部１３とを係合させることで、ベルト部１０は挿通溝２２からの離脱が係止され、ケーブルを巻き締めた状態が保持される。
【００１１】
一方、前記スナップ部３０は前記ロック部２０の下面から垂直下方に向けて突出された細長い板状をしたポスト３１と、前記ポスト３１の先端の左右面両から外側斜め上方に向けて延長され、水平方向の断面が前記ポスト３１を中心とした円弧状に形成された矢尻型の一対のスナップ片３２，３２と、前記各スナップ片３２，３２の上端部と前記ロック部２０の下面とをそれぞれ連結する一対の連結片３３，３３と、前記各連結片３３，３３の外面からそれぞれ外側下方に向けて直線的に突出された一対の脚片３４，３４と、前記各連結片３３，３３の外面から前記ロック部２０の上縁部との間にわたってそれぞれ外側に膨らんだ状態で延長された一対の解除片３５，３５とを備えている。
【００１２】
また、前記ポスト３１はロック部２０の直下から前記連結片３３の下端部よりも若干下側の領域において、当該ポスト３１の両側辺に沿って互いに反対面方向に突出されたストッパ部３６が設けられている。ストッパ部３６のほぼ上半分は当接部３７として厚肉に形成され、その外面には樹脂成形時の「ひけ」を回避するためのにげ溝３７１が設けられる。また、ストッパ部３６の下半分は衝接部３８として水平方向の断面が前記ポスト３１の中央位置を中心とした円周に沿った外形の半円弧状に形成されている。この半円弧状は、図３（ｄ）に示すように、前記スナップ片３２，３２の水平方向の断面の円弧状とほぼ同心の円周に近い形状であり、さらに言えば前記シャーシ２に開口された透孔３の内径寸法よりも幾分小さい径の円周とされている。また、前記衝接部３８は前記スナップ片３２，３２がポスト３１側に向けて弾性変形してその外径が縮径されたときにスナップ片３２，３２と干渉することがない領域に形成されている。
【００１３】
前記スナップ片３２，３２の構成は従来のスナップ部のスナップ片とほぼ同じに上端部に向けて幅寸法が徐々に増大された矢尻型の形状であり、各スナップ片３２，３２の上端部の肉厚をこれに連結された連結片３３，３３よりも肉厚に形成することで、各スナップ片３２，３２の上端部の外側に連結片３３，３３との肉厚差に相当する段部３２１，３２１が形成されている。前記一対の脚片３４，３４は先端部が前記スナップ片３２，３２の両外側位置に配置されており、かつこれら先端部には前記シャーシ２の上面に当接する円形ロッド状の当接端部３４１，３４１が形成されている。前記解除片３５，３５は前記ロック部２０の両側面の両外側において上端部から下端部にかけて徐々に膨らみが大きくなるように両外側方向に緩やかな向けられた形状であり、特に下端部は前記連結片の外側面に対して垂直に近い角度で連結されている。
【００１４】
以上の構成のケーブルタイ１によれば、ケーブルタイ１をシャーシ２の透孔３に取着する際には、作業者はケーブルタイ１を指で摘んで図４（ａ）に示すように、スナップ片３２，３２をシャーシ２の上面側から透孔３に挿入する。このようにして挿入することにより、スナップ片３２，３２は内径方向に弾性変形されて縮径され、透孔３内の挿入を可能にする。なお、このとき指で解除片３５，３５を内側に向けて変形させることで連結片３３，３３を介してスナップ片３２，３２の縮径を助け、挿入し易くすることが可能である。また、スナップ片３２，３２が内径方向に縮径されても、ポスト３１に設けたストッパ部３６に干渉することはない。そして、図４（ｂ）に示すように、スナップ片３２，３２が透孔３を貫通すると、スナップ片３２，３２は弾性力によって復元して外径方向に拡径し、段部３２１，３２１がシャーシ２の下面において透孔３の内縁部に係合する。また、脚片３４，３４は弾性力によってシャーシ２の上面に当接されているため、スナップ部３０全体は透孔３に嵌合した状態が保持され、かつ段部３２１，３２１と透孔３の内縁部との係合によって脱落が防止される。また、このケーブルタイ１を取着した状態では、ポスト３１に設けられているストッパ部３６の下半分の衝接部３８は透孔３内に進入された状態にあり、上半分の当接部３７はシャーシ２の上面に接触、ないし近接された状態にある。
【００１５】
しかる上で、シャーシ２の上面上に延設しようとするケーブルにベルト部１０を巻き付け、当該ベルト部１０の先端部１２をロック部２０の挿通溝２２に挿入し、ロック片２３と鋸歯部１３とを係合させることで、ベルト部１０は挿通方向と逆方向への離脱が係止され、ケーブルを巻き締めた状態が保持される。したがって、ケーブルはケーブルタイ１によってシャーシの上面に保持される。なお、図５に示すように、ベルト部１０においてケーブルＣを巻き締める作業はケーブルタイ１をシャーシに取着する前に行っていてもよく、その上でスナップ部３０を透孔３に挿入して嵌合取着するようにしてもよい。
【００１６】
一方、シャーシに対して取着状態にあるケーブルタイ１をシャーシから離脱させる際には、図６に示すように２本の指で解除片３５，３５を外側から摘み、かつ両側から力を加えて解除片３５，３５を内側に変形させる。この変形力は連結片３３，３３に伝えられ、連結片３３，３３が内側に変形されるため、これと一体のスナップ片３２，３２も内側に変形されて縮径され、段部３２１，３２１が透孔３の内縁部から外れる。したがって、そのままケーブルタイ１をシャーシ２の上方に引き上げることでスナップ部３０を透孔３から引き抜くことができ、ケーブルタイ１の取り外しが容易に実現できる。
【００１７】
また、このケーブルタイ１では、図７に示すように、シャーシ２に取着した状態において、例えば、ケーブルが移動される等の外力がケーブルタイ１に加わるとケーブルタイ全体がシャーシ２に対して傾斜されようとする。そして、スナップ部３０のポスト３１が一対のスナップ片３２，３２が存在する立面方向に沿って傾斜されると、図１８（ｂ）に示したと同様に、一方のスナップ片３２がポスト３１側に大きく変形され、他方のスナップ片３２が透孔３から外れて離脱されてしまうおそれが生じる。しかしながら、この実施形態のケーブルタイでは、スナップ部３０が傾斜され始めると、図８（ａ），（ｂ）に正面図とシャーシ面に沿ったＣＣ線断面図を示すように、僅かな角度だけ傾斜された時点でポスト３１の両側のストッパ部３６の衝接部３８の外側面が必ず透孔３の内縁部に衝接する状態となり、同時にその直上の当接部３７が透孔３の開口縁部においてシャーシ２の上面に当接する状態となる。そのため、このストッパ部３６が透孔３やシャーシ２と当接することによってポスト３１がそれ以上傾斜することが阻止され、スナップ片３２，３２が内側に変形されることが防止されるため、スナップ部３０が透孔３から離脱されることはない。
【００１８】
したがって、以上のことから、本実施形態のケーブルタイ１は、シャーシ２の透孔３にケーブルタイ１を取着する作業及び当該実装用部品の離脱作業を容易に行うことができ、環境問題の解決策として電気製品のプリント基板や配線をシャーシやパネル等から解体する際の作業を容易にする一方で、取着したケーブルタイがシャーシ２から容易に離脱することがなく、ケーブルタイによるケーブル保持の信頼性を向上することが可能になる。
【００１９】
なお、このケーブルタイでは、一対のスナップ片３２，３２を含む方向の立面と直交する立面方向に傾斜した場合には、スナップ片３２，３２が縮径されることがないためスナップ部３０が透孔３から離脱されるおそれはないが、この場合に極端に大きな角度で傾斜されるとポスト３１に大きな力が加えられてポスト３１が折損され、さらにはスナップ片３２，３２が破損されてスナップ部の機能が損なわれるおそれがあるが、この場合にも、ストッパ部３０の下半分の衝接部３８の外側面が透孔３の内縁部に衝接するとともに、上半分の当接部３７がシャーシ２の上面に当接されるため、それ以上の傾斜が防止されることになり、ポスト３１の折損及びスナップ片３２，３２の破損等を未然に防止することが可能になる。
【００２０】
次に、本発明にかかるスナップ部の変形した実施形態について説明する。なお、各実施形態において、第１の実施形態と等価な部分には同一符号を付してある。図９は第２の実施形態であり、ここでは連結片３３，３３の上端部はロック部２０に連結しておらず、解除片３５，３５とのみ連結した構成である。
【００２１】
この第２の実施形態では、連結片３３，３３がロック部２０に連結されていないためスナップ片３２，３２の縮径に要する力は第１の実施形態よりも小さくなる。そのため、スナップ部３０をシャーシの透孔に挿入する作業を小さい力で行うことができ、作業性を高める上では有利である。また、スナップ部３０がシャーシの透孔内に内装された状態で傾斜されようとしたときには、第１の実施形態と同様にストッパ部３６の作用によって傾斜が抑制され、スナップ部３０の離脱が防止される。
【００２２】
図１０は第３の実施形態であり、ここではポスト３１の上端部のストッパ部３６の上側領域内の両面に下方から上方に向けて径寸法を徐々に大きくしたテーパ片３９，３９を一体に形成したことを特徴としている。また、これに対応して連結片３３，３３はロック部２０に対しては連結しておらずスナップ片３２，３２を連結片３３，３３を介して解除片３５，３５に対し連結したことは第２の実施形態と同じである。ただし、ここでは連結片３３，３３の上端部３３１，３３１が前記テーパ片３９に対向するように若干上方に突出させている。
【００２３】
この第３の実施形態では、連結片３３，３３がロック部２０に連結されていないためスナップ片３２，３２の縮径に要する力が低減されることは第２の実施形態と同じであり、そのため、スナップ部３０をシャーシの透孔に挿入する作業を小さい力で行うことができ、作業性を高める上では有利である。また、スナップ部３０がシャーシの透孔内に内装された状態で傾斜されようとしたときには、第１及び第２の実施形態と同様にストッパ部３６の作用によって傾斜が抑制され、スナップ部３０の離脱が防止される。また、このとき、スナップ片３２，３２がある程度まで縮径されると連結片３３，３３の上端部３３１，３３１がテーパ片３９，３９に当接されるため、それ以上にスナップ片３２，３２が縮径されることが阻止されることになり、この面からもスナップ部３０の離脱を防止することが可能になる。
【００２４】
図１１は第４の実施形態であり、ここではポスト３１の上端部の両面に下方から上方に向けて径寸法を徐々に大きくしたテーパ片３９，３９を一体に形成したことは第３の実施形態と同じであるが、第１の実施形態に設けていたストッパ部３６の当接部３７は省略した構成とされている。なお、連結片３３はロック部２０に対しては連結しておらず、スナップ片３２，３２を連結片３３，３３を介して解除片３５，３５に対して連結し、かつその上で連結片３３，３３の上端部３３１，３３１を前記テーパ片３９，３９に対向配置している構成も第３の実施形態と同様である。
【００２５】
この第４の実施形態では、連結片３３，３３がロック部２０に連結されていないためスナップ片３２，３２の縮径に要する力を小さくし、スナップ部３０をシャーシの透孔に挿入する作業を小さい力で行うことができ、作業性を高める上では有利であることは第２及び第３の実施形態と同様である。また、スナップ部３０がシャーシの透孔内に内装された状態で傾斜されようとしたときには、ストッパ部３６の衝接部３８の作用によって傾斜が抑制され、スナップ部３０の離脱が防止される。ただし、ストッパ部３６に当接部が存在していないため傾斜防止の能力は前記各実施形態ほどのものは存在しないが、仮にスナップ部３０が前記各実施形態よりも大きい角度に傾斜されたとしても、スナップ片３２，３２の縮径に伴って連結片３３，３３の上端部３３１，３３１がテーパ片３９，３９に当接されるため、それ以上の縮径が防止され、結局スナップ部３０が透孔から離脱することを防止することができる。
【００２６】
図１２は第５の実施形態であり、第４の実施形態と同様にポスト３１にストッパ部３６の衝接部３８を形成する一方で、ポスト３１には特にテーパ片は設けてはいない。その一方で、連結片３３，３３の上端部３３１，３３１を内側のポスト３１の方向に向けて若干傾斜した状態で突出していることが特徴とされている。
【００２７】
この第５の実施形態では、連結片３３，３３がロック部２０に連結されていないためスナップ片３２，３２の縮径に要する力を小さくし、スナップ部３０をシャーシの透孔に挿入する作業を小さい力で行うことができ、作業性を高める上では有利であることは第２ないし第４の実施形態と同様である。また、スナップ部３０がシャーシの透孔内に内装された状態で傾斜されようとしたときには、ストッパ部３６の衝接部３８の作用によって傾斜が抑制され、スナップ部３０の離脱が防止される。ただし、ストッパ部３０の当接部が存在していないため傾斜防止の能力は第１ないし第４の実施形態ほどのものは存在しないが、仮にスナップ部３０が第１ないし第４の実施形態よりも大きい角度に傾斜されたとしても、スナップ片３２，３２の縮径に伴って連結片３３，３３の上端部３３１，３３１がポスト３１の両外面にそれぞれ当接されるため、それ以上の縮径が防止され、結局スナップ部３０が透孔から離脱することを防止することができる。
【００２８】
図１３は第６の実施形態であり、ここでは解除片３５，３５の上端部３５１，３５１をロック部２０から切り離した構造したことが特徴とされている。すなわち、解除片３５，３５の上端部３５１，３５１を幾分内側に曲げた構造とし、この上端部３５１，３５１をロック部２０の筒状部２１の上面に設けた庇部２１１，２１１の下側に配設したものである。その他の構成は第１の実施形態と全く同じである。
【００２９】
この第６の実施形態では、解除片３５，３５の上端部３５１，３５１がロック部２０に連結されていないため、解除片３５，３５をより内側に向けて変形し易くされている。したがって、スナップ部３０を透孔から離脱させる際に、解除片３５，３５を両側から指で掴んで内側に変形させる際の力を低減し、離脱をより容易に行うことが可能になる。なお、スナップ部３０がシャーシの透孔内に内装された状態で傾斜されようとしたときには、ストッパ部３６の作用によって傾斜が抑制され、スナップ部３０の離脱が防止されることは第１の実施形態と同じである。
【００３０】
ここで、本発明のスナップ構造、すなわち前記各実施形態のスナップ部の構造は前記各実施形態に適用したケーブルタイに限られるものではなく、シャーシに設けた開口に取着する実装用部品であれば同様に適用することが可能である。例えば、図１４は本発明のスナップ構造をワイヤサドルに適用した第７の実施形態である。ワイヤサドル１Ａはシャーシに沿ってワイヤやケーブルを延長支持させるものである。サドル部４０は両側片４２，４２を有する上向きコ字状の本体部４１と、この本体部４１の両側片４２，４２の各上端部からそれぞれ若干下方に向けて内側に突出され、かつ各先端部が互いに重なり状態とされた係止片４３，４３とで構成されており、両係止片４３，４３の間から本体部４１内にワイヤを挿通させれば、両係止片４３，４３によってワイヤの脱落が防止されるようになっている。なお、ここでは本体部４１の両側片４２，４２には傾倒を防止するために三角状のリブ４４，４４を設けている。そして、このようなワイヤサドル１Ａの本体部４１の底面に前記第１の実施形態と同様なスナップ部３０を形成している。また、ここではスナップ部３０の解除片３５，３５は本体部４１の底面から両側片４２，４２の各外側にまで膨らんだ状態で延長されている。
【００３１】
この第７の実施形態では、第１の実施形態と同様にしてワイヤサドル１Ａをシャーシに設けた透孔に取着し、かつ離脱することが可能である。また、この実施形態においても、シャーシの透孔に取着されているワイヤサドル１Ａが傾斜されようとした場合に、僅かな角度だけ傾斜された時点でポスト３１のストッパ部３６の衝接部３８の外側面が必ず透孔の内縁部に衝接する状態となり、同時にその直上の当接部３７が透孔の開口縁部においてシャーシの上面に当接する状態となり、ポスト３１がそれ以上傾斜することが阻止され、スナップ片３２，３２が縮径されることが防止され、スナップ部３０が透孔から離脱されることが防止される。なお、解除片３５，３５を両側から摘んだ場合に、本体部４１の内部に設けられたリブ４４，４４によって両側片４２，４２が内側に傾倒することが防止される。
【００３２】
また、図１５は本発明のスナップ構造を基板サポート１Ｂに適用した第８の実施形態である。基板サポート１Ｂはシャーシの表面に沿ってプリント回路基板等の基板を沿設支持させるものであり、その上端側スナップ部３０Ａが基板に設けられた透孔に基板の下面側から嵌合し、下側スナップ部３０がシャーシの透孔に上面側から嵌合することで基板をシャーシ上に支持するものである。そして、この実施形態では、上端側スナップ部３０Ａには、図１７に示した従来のスナップ構造を採用し、下端側のスナップ部３０に本発明のスナップ構造を採用した構成となっている。すなわち、短円柱状をした主軸５０の上端部にポスト５１、一対のスナップ片５２，５２、当該スナップ片５２，５２の端部に段部５２１，５２１を形成するための突出片５３，５３、及び一対の脚片５４，５４を形成して上端側スナップ部３０Ａを構成する。また、前記主軸５０の下端部にポスト３１、一対のスナップ片３２，３２、一対の連結片３３，３３、一対の脚片３４，３４、一対の解除片３５，３５を形成し、さらに前記ポスト３１に第１の実施形態と同様に当接部３７と衝接部３８を含むストッパ部３６を形成し、これらで本発明のスナップ構造を構成する。
【００３３】
この第８の実施形態では、基板サポート１Ｂの下端側スナップ部３０において、第１の実施形態と同様に当該スナップ部３０をシャーシに設けた透孔に取着し、かつ離脱することが可能である。また、この場合においても、シャーシの透孔に取着されている基板サポート１Ｂが傾斜されようとした場合に、僅かな角度だけ傾斜された時点でポスト３１のストッパ部３６の衝接部３８の外側面が必ず透孔の内縁部に衝接する状態となり、同時にその直上の当接部３７が透孔の開口縁部においシャーシの上面に当接する状態となり、基板サポート１Ｂがそれ以上傾斜することが阻止されてスナップ片３２，３２が内側に変形されることが防止され、スナップ部３０が透孔から離脱されることが防止される。
【００３４】
さらに、図１６は本発明のスナップ構造を基板サポート１Ｃに適用した第９の実施形態であり、ここでは上端側スナップ部３０ａと下端側スナップ部３０ｂの両方に本発明のスナップ構造を採用した構成となっている。すなわち、ポスト３１を上端部から下端部にわたって直線状に延長した上で、上端部と下端部にそれぞれ一対のスナップ片３２，３２を形成し、これらのスナップ片３２，３２にそれぞれ一対の連結片３３，３３で連結し、かつ上端部と下端部のそれぞれにおいて前記各連結片３３，３３に一対の脚片３４，３４を形成する。また、上下の各スナップ部３０ａ，３０ｂの各連結片３３，３３を解除片３５，３５によって連結している。また、前記ポスト３１の上端部から下端部までのほぼ全長はストッパ部３６として構成されており、その中間領域は当接部３７として、上下の各端領域は衝接部３８，３８としてそれぞれ形成されている。
【００３５】
この第９の実施形態では、基板サポート１Ｃの上端側スナップ部３０ａは図外の基板に設けた透孔に、また、下端側スナップ部３０ｂは図外のシャーシに設けた透孔にそれぞれ嵌合状態に取着し、かつ離脱することが可能である。これにより基板サポート１Ｃによってシャーシ上に基板を固定支持することが可能である。また、この実施形態においても、シャーシあるいは基板に対して基板サポート１Ｃが傾斜されようとした場合に、僅かな角度だけ傾斜された時点でポスト３１のストッパ部３６の衝接部３７の外側面が必ず基板やシャーシの透孔の内縁部に衝接する状態となり、同時に当接部３７が透孔の開口縁部において基板やシャーシの表面に当接する状態となり、基板サポート１Ｃがそれ以上傾斜することが阻止され、スナップ片３２Ｐ３２が内側に変形されることが防止され、各スナップ部３０ａ，３０ｂが各透孔から離脱されることが防止される。
【００３６】
以上本発明を種々の実施形態に基づいて説明したが、本発明にかかるスナップ構造は前記各実施形態に記載の構成に限られるものではない。特に、前記各実施形態における連結片は、第８の実施形態からも判るように、解除片と一体でかつ解除片の一部として構成することが可能である。また、本発明のスナップ構造は、シャーシ等に設けられた透孔に取着する構成体のものであれば、当該構成体に対応して適宜一部を変更した形態で本発明を適用することが可能である。例えば、図１７に示したケーブルクランプに適用することが可能であることは言うまでもない。
【００３７】
【発明の効果】
以上説明したように本発明のスナップ構造は、スナップ片による透孔の嵌合状態を基板の表面側から解除する解除片を設けたスナップ構造において、スナップ片が形成されたポストに、ポストが所定角度以上傾斜されることを阻止するストッパ部を備えているので、基板の透孔内に嵌合されている状態においてポストが傾斜されようとした場合にストッパ部が透孔の内縁部や透孔の開口縁部の基板の上面に衝接し、これらストッパ部と透孔及びシャーシとの当接によってポストがそれ以上傾斜することが阻止され、スナップ片の縮径が防止されてスナップ片での離脱を防止することができる。特に、ストッパ部は板状をしたポストの両側辺に沿ったスナップ片、連結片及び脚片と干渉しない領域にのみ形成されているので、スナップ片と脚片との間で基板を挟持した状態を確保しながらもスナップ片の離脱を防止することができる。また、解除片を操作してスナップ片を縮径した際にもストッパ部がスナップ片に干渉することがなく、スナップ片を透孔との嵌合状態から離脱させることも可能である。これにより、基板の透孔に実装用部品を取着する作業及び当該実装用部品の離脱作業を容易に行うことができ、環境問題の解決策として電気製品のプリント基板や配線をシャーシやパネル等から解体する際の作業を容易にする一方で、取着した実装用部品が基板から簡単に離脱することがなく、部品実装の信頼性を向上した各種電子機器を得ることが可能になる。
【図面の簡単な説明】
【図１】本発明をケーブルタイに適用した第１の実施形態の斜視図である。
【図２】図１のケーブルタイの全体正面図である。
【図３】図１のケーブルタイの要部を拡大した正面図、右側面図、底面図、ＡＡ線断面図、ＢＢ線断面図である。
【図４】第１の実施形態の装着動作を説明する図である。
【図５】他の装着状態を示す斜視図である。
【図６】ケーブルタイを離脱させる動作を説明する図である。
【図７】ケーブルタイが傾斜した状態を示す斜視図である。
【図８】傾斜による離脱防止効果を説明するための正面図とＣＣ線断面図である。
【図９】本発明の第２の実施形態の正面図である。
【図１０】本発明の第３の実施形態の正面図である。
【図１１】本発明の第４の実施形態の正面図である。
【図１２】本発明の第５の実施形態の正面図である。
【図１３】本発明の第６の実施形態の正面図である。
【図１４】本発明をワイヤサドルに適用した第７の実施形態の正面図である。
【図１５】本発明を基板サポートに適用した第８の実施形態の正面図である。
【図１６】本発明を基板サポートに適用した第９の実施形態の正面図である。
【図１７】従来のケーブルクランプの正面図である。
【図１８】従来の他のスナップ構造とその問題点を説明するための正面図である。
【符号の説明】
１  ケーブルタイ（実装用部品）
２  シャーシ
３  透孔
１０  ベルト部
１３  鋸歯部
２０  ロック部
２２  挿通溝
２３  ロック片
３０  スナップ部
３１  ポスト
３２  スナップ片
３３  連結片
３４  脚片
３５  解除片
３６  ストッパ部
３７  当接部
３８  衝接部
Ｃ  ケーブル
【図１】
0004010487.tif 000002
【図２】
0004010487.tif 000003
【図３】
0004010487.tif 000004
【図４】
0004010487.tif 000005
【図５】
0004010487.tif 000006
【図６】
0004010487.tif 000007
【図７】
0004010487.tif 000008
【図８】
0004010487.tif 000009
【図９】
0004010487.tif 000010
【図１０】
0004010487.tif 000011
【図１１】
0004010487.tif 000012
【図１２】
0004010487.tif 000013
【図１３】
0004010487.tif 000014
【図１４】
0004010487.tif 000015
【図１５】
0004010487.tif 000016
【図１６】
0004010487.tif 000017
【図１７】
0004010487.tif 000018
【図１８】
0004010487.tif 000019